Podtech/llm-jp-corpus-v4-ja_patent huggingface dataset:
【手続補正書】
【提出日】平成30年7月3日(2018.7.3)
【手続補正１】
【補正対象書類名】特許請求の範囲
【補正対象項目名】全文
【補正方法】変更
【補正の内容】
【特許請求の範囲】
【請求項１】
水の移動体からエネルギーを吸収し、または変換するための装置であって、
使用中に水体の移動に応答して移動するエネルギー捕捉要素であって、前記水体内に配置されるエネルギー捕捉要素と、
誘導路を画定する細長い誘導要素であって、当該誘導路に沿って前記エネルギー捕捉要素が移動することができる誘導要素と、を備え、
前記エネルギー捕捉要素は中空であり、
使用中に、前記エネルギー捕捉要素が、前記誘導路に平行な前記エネルギー捕捉要素の長さに沿って水圧差に応答し、かつ前記エネルギー捕捉要素を取り囲む前記水体の移動に応答して、実質的に水平な平面内の前記誘導路に沿って移動するように、前記エネルギー捕捉要素および前記誘導要素が配置され、
水の流れに対して前記エネルギー捕捉要素の断面を変化させること、または形状を変化させること、またはその両方を変化させることのいずれかによって、前記エネルギー捕捉要素上の前記流れの効果を変化させるための手段を更に備える、装置。
【請求項２】
立方メートルで測定される場合、前記エネルギー捕捉要素の体積が、キロワットで測定される場合の装置のピーク電力定格の少なくとも１／５である、請求項１に記載の装置。
【請求項３】
使用中に、前記エネルギー捕捉要素が、実質的に一定の深度で前記誘導路の少なくとも１つの区分に沿って移動するように、前記エネルギー捕捉要素が前記誘導要素に結合される、請求項１または２に記載の装置。
【請求項４】
前記誘導路が、少なくとも約１０メートル、好適には少なくとも約１２メートル、より好適には少なくとも約２０メートルの長さを含む、請求項１から３のいずれか一項に記載の装置。
【請求項５】
使用中に、前記誘導路が、水平および／または垂直な１つまたは複数の平面内で湾曲する、請求項１から４のいずれか一項に記載の装置。
【請求項６】
前記誘導路が、その長さに沿って少なくとも２つの誘導路に分割され、前記少なくとも２つの誘導路が共線状であり、移行区分によって結合され、使用中、前記少なくとも２つの誘導路区分が垂直にオフセットされる、請求項１から５のいずれか一項に記載の装置。
【請求項７】
前記誘導路の少なくとも部分の配向またはその深度、あるいは前記配向および前記深度の両方が、前記衝撃水流の前記状態に適合するように積極的に修正され得る、請求項１から６のいずれか一項に記載の装置。
【請求項８】
前記誘導路に沿って前記エネルギー捕捉要素の前記移動からエネルギーを抽出し、かつ変換するように配置される電力変換器を更に備え、
前記エネルギー捕捉要素は、前記電力変換器が内部に格納される空洞を画定する、請求項１から７のいずれか一項に記載の装置。
【請求項９】
前記誘導要素が結合される支持構造を更に備え、前記支持構造が、使用中に前記水体内の前記誘導要素の深度位置および／または配向を保つように配置され、
前記誘導要素の深度位置および／または配向が制御可能に変化され得るように、前記支持構造が調節可能である、請求項１から８のいずれか一項に記載の装置。
【請求項１０】
前記支持構造が、前記支持構造を係留点に結合するための１つまたは複数の脚を備え、前記誘導要素の深度位置および／または配向が制御可能に変化するように、前記１つまたは複数の脚の長さが調節され得る、請求項９に記載の装置。
【請求項１１】
前記誘導要素が、少なくとも１つのビームまたは誘導レールを備え、前記少なくとも１つのビームまたは誘導レールに沿って、前記エネルギー捕捉要素が移動することができ、
前記少なくとも１つのビームまたは誘導レールが、それぞれ実質的にＵ字形の支持構造の断面要素にその各両端で固定され、前記支持構造の前記脚が、使用中に前記装置が配置される水体の底面に、または使用中に、係留要素に固定可能である支持面のいずれかに固定可能であり、
前記各支持構造の前記脚のそれぞれの前記長さが、制御可能に変化され得る、請求項１から１０のいずれか一項に記載の装置。
【請求項１２】
前記エネルギー捕捉要素の前面面積が、前記水体によって前記エネルギー捕捉要素に作用する抗力を調節するために制御可能に変化され得る、請求項１から１１のいずれか一項に記載の装置。
【請求項１３】
前記エネルギー捕捉要素が、前記前面面積を変化させるための、１つまたは複数の選択的に作動可能なベントを備える、請求項１２に記載の装置。
【請求項１４】
前記エネルギー捕捉要素が、前記前面面積を変化させるために前記誘導要素に対して回転可能である、請求項１２または１３に記載の装置。
【請求項１５】
前記誘導路に沿って前記エネルギー捕捉要素の前記移動から電気エネルギーまたは電気に変換するように配置される電力変換器をさらに備える請求項１から１４のいずれか一項に記載の装置を含む、波または潮流、あるいは波および潮流または水流エネルギー変換器。
【請求項１６】
前記誘導路に沿って前記エネルギー捕捉要素の前記移動からエネルギーを変換および散逸し、吸収または保存するように配置される電力変換器をさらに備える請求項１から１４のいずれか一項による少なくとも１つの装置を備える、海岸保全装置。
【手続補正書】
【提出日】平成30年4月19日(2018.4.19)
【手続補正１】
【補正対象書類名】特許請求の範囲
【補正対象項目名】全文
【補正方法】変更
【補正の内容】
【特許請求の範囲】
【請求項１】
高粘度の重油残留燃料を利用する燃焼システムの効率を改善する方法であって、
ａ．ＣＯ２源又はＣＯ２リッチ気体混合物源を供給すること；
ｂ．所定条件の温度及び約７３バール以下の圧力下、ＣＯ２又はＣＯ２リッチ混合物を、重油残留物と密接に接触させること；
ｃ．所定濃度の溶解したＣＯ２を得て、重油残留物の粘度が低減するまで、約７３バール以下でＣＯ２又はＣＯ２リッチ混合物と重油残留物との接触を維持すること；
ｄ．燃焼室で、燃焼用の低粘度重油残留物をポンプで輸送し、噴霧すること
を含む、方法。
【請求項２】
さらに、工程（ｃ）の後に、パイプラインを介して、低粘度重油残留物を燃焼システムに輸送すること
を含む、請求項１に記載の方法。
【請求項３】
所定条件の温度及び圧力下で、加圧、加熱した貯蔵器中に、溶解したＣＯ２を含む低粘度重油残留物を導入し、所定の粘度範囲内に重油残留物の粘度を維持すること、及び低粘度重油残留物を貯蔵器から流し、燃焼室で燃焼用にそれを噴霧することをさらに含む、請求項１に記載の方法。
【請求項４】
前記ＣＯ２又はＣＯ２リッチ混合物と重油残留物とを、加圧した気体ＣＯ２の雰囲気下、撹拌混合器中で接触させる、請求項１に記載の方法。
【請求項５】
前記ＣＯ２又はＣＯ２リッチ混合物を、重油残留物の移動流に導入し、静的又は動的な直列混合装置に通し、重油残留物にＣＯ２を溶解させる、請求項１に記載の方法。
【請求項６】
前記低粘度重油残留物の噴霧を、蒸気及び／又はＣＯ２を含む噴霧媒体により達成する、請求項１に記載の方法。
【請求項７】
前記低粘度重油残留物の噴霧を、１つ以上の機械的噴霧インゼクターにより達成する、請求項１に記載の方法。
【請求項８】
ＣＯ２源又はＣＯ２リッチ気体混合物源を、統合されたＣＯ２捕捉及び処理ユニットから供給する、請求項１に記載の方法。
【請求項９】
ＣＯ２源又はＣＯ２リッチ気体混合物源を、少なくとも２段階のＣＯ２捕捉及び処理ユニットから供給し、各段階が異なる圧力でＣＯ２又はＣＯ２リッチ気体混合物を供給する、請求項１に記載の方法。
【請求項１０】
燃焼を空気、酸素又は酸素リッチ空気の存在下で行う、請求項１に記載の方法。
【請求項１１】
さらに、
ｅ．燃料ガスを燃焼室から１つ以上の燃料ガス取扱いユニットに流すこと；
ｆ．流出燃料ガスを１つ以上の燃料ガス取扱いユニットからＣＯ２捕捉ユニットに流すこと；
ｇ．ＣＯ２の少なくとも一部分をＣＯ２捕捉ユニットから工程（ｂ）に流すこと
を含む、請求項１に記載の方法。
【請求項１２】
ＣＯ２（またはＣＯ２リッチ混合物）および重油の混合物を、燃焼室にポンプで輸送する前に貯蔵タンクに維持する、請求項１に記載の方法。
【手続補正書】
【提出日】平成30年5月9日(2018.5.9)
【手続補正１】
【補正対象書類名】特許請求の範囲
【補正対象項目名】全文
【補正方法】変更
【補正の内容】
【特許請求の範囲】
【請求項１】
計算位置を決定するコンピューター実装方法であって、
移動体処理デバイスの位置を決定する要求を受けるステップと、
少なくとも以前に観察されたビーコンを含む現場フィンガープリント・データーの入手可能性に基づいて、利用可能な方法から位置計算方法を選択するステップであって、前記現場フィンガープリント・データーが、要求における観察ビーコンについて、以前に観察された現場およびフロア・データーを含む場合で、かつ現場検出及びフロア検出が成功した場合、第１方法が選択され、現場が、閾値数の少なくとも２つの検出されかつ現場識別されたビーコンに基づいて決定され、現場を決定するには十分なデーターが現場に対し入手可能でない場合、第２方法が選択され、前記閾値数未満のビーコンが存在する場合に十分なデーターが入手可能でない、ステップと、
選択した前記方法を使用して、前記移動体処理デバイスの前記位置を計算するステップと、
を含む、コンピューター実装方法。
【請求項２】
請求項１記載のコンピューター実装方法であって、更に、観察ビーコン特性および関連する位置データーを含むデーター・モデルを作成するステップを含み、前記位置データーが現場識別子およびフロア識別子を含む、コンピューター実装方法。
【請求項３】
請求項１記載のコンピューター実装方法において、選択するステップが、
前記観察ビーコンから現場を決定し、続いて前記観察ビーコンからフロアを決定するステップを含む、コンピューター実装方法。
【請求項４】
請求項１記載のコンピューター実装方法であって、更に、前記要求における観察ビーコンについて現場フィンガープリント・データーが入手可能でない場合、第３方法を選択するステップを含む、コンピューター実装方法。
【請求項５】
請求項１記載のコンピューター実装方法であって、更に、前記第１方法又は前記第２方法を使用した前記計算が失敗した場合に第３方法を選択するステップを含む、コンピューター実装方法。
【請求項６】
ワイヤレス通信チャネルを含む移動体処理デバイスであって、
プロセッサーと、
コードを含むメモリーと、
を含み、前記コードが前記プロセッサーに、
前記ワイヤレス通信チャネルを介して複数のワイヤレス・ビーコンを観察するステップであって、各ビーコンが観察特性を有する、ステップと、
少なくとも以前に観察されたビーコンを含む現場フィンガープリント・データーの入手可能性に基づいて、前記メモリーに格納されている位置計算方法を選択するステップであって、該ステップが、
閾値数の少なくとも２つの観察ビーコンが、現場およびフロア・データーと共に前記現場フィンガープリント・データーに含まれる場合で、かつ現場検出及びフロア検出が成功した場合、第１方法を選択し、
前記現場フィンガープリント・データーにおいて前記閾値数未満のビーコンが観察ビーコンに入手可能でない場合第２方法を選択する
ことを含む、ステップと、
選択された前記方法を使用して、前記移動体処理デバイスの位置を計算するステップと、
を実行するように命令する、移動体処理デバイス。
【請求項７】
請求項６記載の移動体処理デバイスであって、更に、
観察ビーコンについて現場フィンガープリント・データーが入手可能である場合、あるいは前記第１または第２方法を使用した前記計算が失敗した場合、第３方法を選択するコードを含む、移動体処理デバイス。
【請求項８】
請求項７記載の移動体処理デバイスであって、更に、観察ビーコン特性および関連する位置データーを含むデーター・モデルを使用して計算するステップを含み、前記位置データーが現場識別子およびフロア識別子を含む、移動体処理デバイス。
【請求項９】
請求項７記載の移動体処理デバイスにおいて、前記計算するステップが、前記第１方法を使用して計算を開始し、前記計算を完了するためには観察ビーコンまたは以前に観察されたデーターでは不十分であると決定し、前記第２方法を選択するステップを含む、移動体処理デバイス。
【請求項１０】
請求項７記載の移動体処理デバイスにおいて、前記第１方法がＥＺアルゴリズム方法であり、前記第２方法がカルマン・アルゴリズムであり、前記第１および第２方法が、フロア・データーおよび現場データーを含むデーターを使用する、移動体処理デバイス。
【手続補正書】
【提出日】平成30年4月23日(2018.4.23)
【手続補正１】
【補正対象書類名】特許請求の範囲
【補正対象項目名】全文
【補正方法】変更
【補正の内容】
【特許請求の範囲】
【請求項１】
(i) 免疫媒介性疾患を有することが疑われる対象からの生体サンプルを用意する工程;
(ii) サンプル中の全IgG、IgGサブクラス、および/または抗原特異的IgGのレベルを決定するためにサンプルをアッセイする工程; ならびに
(iii) 対象が、規準値と比べて、上昇した全IgGレベル、上昇したIgGサブクラスレベル、および/または増加した抗原特異的IgGレベルを有する場合、対象に一次治療剤を処方する工程
を含む、アッセイ法。
【手続補正書】
【提出日】平成30年6月18日(2018.6.18)
【手続補正１】
【補正対象書類名】特許請求の範囲
【補正対象項目名】全文
【補正方法】変更
【補正の内容】
【特許請求の範囲】
【請求項１】
サンプルに対し多重化免疫アッセイを実施する方法であって、
（ａ）血液、血漿、又は細胞可溶化液を、ビーズに固定されている複数の捕捉抗体と接触させて、捕捉された複数の検体成分を生成することと（ここで、ビーズは、少なくとも１種の検体成分に特異的である）、
（ｂ）前記捕捉された複数の検体成分を、前記少なくとも１種の検体成分に特異的である少なくとも１種の検出抗体と接触させて、検出可能な、捕捉された複数の検体成分を生成することと（ここで、前記少なくとも１種の検出抗体は、シグナル増幅対の第１のメンバーを有し、前記シグナル増幅対の前記第１のメンバーがペルオキシダーゼであり、前記少なくとも１種の検出抗体が、少なくとも２種の検出抗体であり、
（ｉ）グルコースオキシダーゼである促進部分により標識されており、活性化状態に依存しない複数の抗体と、
（ｉｉ）前記シグナル増幅対の前記第１のメンバーにより標識されており、活性化状態に依存する複数の抗体（ここで、前記促進部分が酸化剤を生成し、前記酸化剤が、前記シグナル増幅対の前記第１のメンバーにチャネリングし、かつ反応する過酸化水素（Ｈ２Ｏ２）である）と、
を含む）、
（ｃ）前記検出可能な、捕捉された複数の検体成分を、前記シグナル増幅対の第２のメンバーと接触させて、増幅されたシグナルを生成することと、
（ｄ）前記シグナル増幅対の前記第１及び第２のメンバーから生成された、前記増幅されたシグナルを検出することと、
を含む、方法。
【請求項２】
前記ビーズが、蛍光色素又は検出可能なタグで標識される、請求項１に記載の方法。
【請求項３】
前記サンプルが、全血、血清、血漿、尿、痰、気管支洗浄液、涙、乳頭吸引液、リンパ液、唾液、細針吸引液（ＦＮＡ）、脳脊髄液、及びこれらの組み合わせからなる群から選択される、請求項１又は２に記載の方法。
【請求項４】
前記少なくとも１種の検体成分が、少なくとも１種のシグナル伝達分子、サイトカイン、代謝産物、病理学的分子、又は自己抗体を含む、請求項１〜３のいずれか一項に記載の方法。
【請求項５】
前記検出抗体が、前記少なくとも１種の検体成分に特異的なシグナル増幅対の第１のメンバーで標識した複数の検出抗体である、検出抗体を１種含む、請求項１〜４のいずれか一項に記載の方法。
【請求項６】
前記グルコースオキシダーゼである促進部分が、前記シグナル増幅対の前記第１のメンバーにチャネリングし、かつ反応する、過酸化水素（Ｈ２Ｏ２）である酸化剤を生成する、請求項５に記載の方法。
【請求項７】
前記ペルオキシダーゼが、西洋ワサビペルオキシダーゼ（ＨＲＰ）である、請求項１に記載の方法。
【請求項８】
前記シグナル増幅対の前記第２のメンバーが、チラミド試薬である、請求項１〜７のいずれか一項に記載の方法。
【請求項９】
前記チラミド試薬がビオチン−チラミドである、請求項８に記載の方法。
【請求項１０】
前記増幅されたシグナルが、ペルオキシダーゼによりチラミドが酸化されて活性化チラミドが生成されることにより生じる、請求項１〜９のいずれか一項に記載の方法。
【請求項１１】
前記活性化チラミドが直接検出される、請求項１０に記載の方法。
【請求項１２】
前記活性化チラミドが、シグナル検出剤の添加により検出され、前記シグナル検出剤が、ストレプトアビジン標識されたフルオロフォアである、請求項１０に記載の方法。
【請求項１３】
前記シグナル検出剤が、ストレプトアビジン標識されたペルオキシダーゼと発色剤とを組み合わせたものである、請求項１２に記載の方法。
【請求項１４】
前記発色剤が３，３’，５，５’−テトラメチルベンジジン（ＴＭＢ）である、請求項１３に記載の方法。
【請求項１５】
前記方法が、ヒト疾患の診断検査として使用される、請求項１〜１４のいずれか一項に記載の方法。
【手続補正書】
【提出日】平成30年2月26日(2018.2.26)
【手続補正１】
【補正対象書類名】特許請求の範囲
【補正対象項目名】全文
【補正方法】変更
【補正の内容】
【特許請求の範囲】
【請求項１】
家具又は家庭用器具のためのヒンジ（４）であって、側部（５）を備え、該側部は取付用プレート（６）を介して家具本体（２）の側壁に固定され、該側部上にドア（３）が保持されるヒンジ部（７）が取り付けられ、ヒンジ部（７）は２つのレバー（８、９）により回転可能であり、ヒンジ部（７）は４つのジョイント接続により回転可能であり、ヒンジ部（７）はカップ形に構成されて減衰デバイス（１０）を備え、該減衰デバイス（１０）は可動減衰要素（２０）を有し、該可動減衰要素（２０）が、減衰をもたらすよう２つのガイド要素（１１、３０）間で変位可能又は枢動可能に取り付けられ、前記ヒンジ（４）の閉鎖運動時に閉鎖位置に達する前に第一の駆動要素（５１）を介して作動することができるように構成されてなる、ヒンジ（４）において、
第二の駆動要素（５２）が設けられ、該第二の駆動要素（５２）が、前記ヒンジ（４）の開放運動時に最大開放位置に達する前に開放領域の減衰をもたらすように前記減衰要素（２０）を作動させるように構成されてなることを特徴とするヒンジ。
【請求項２】
前記減衰デバイス（１０）の前記開放領域の減衰が前記最大開放位置の前の少なくとも１０°、好ましくは少なくとも２０°で生じるように構成されてなることを特徴とする請求項１に記載のヒンジ。
【請求項３】
前記第一の駆動要素（５１）及び／又は前記第二の駆動要素（５２）が前記２つのレバーのうちの一方（８）に固定される又は前記２つのレバーのうちの一方（８）と一体成形されるように構成されてなることを特徴とする請求項１又は２に記載のヒンジ。
【請求項４】
前記減衰デバイス（１０）が前記閉鎖位置の前の少なくとも１０°、とくに２０°を超える角度よりも前に動作状態にあるように構成されてなることを特徴とする請求項１乃至３のうちのいずれか１項に記載のヒンジ。
【請求項５】
前記減衰デバイス（１０）が、閉鎖領域の減衰と開放領域の減衰との間にある中央の開放範囲における開放方向及び閉鎖方向の両方向の場合において非動作状態にあるように構成されてなることを特徴とする請求項１乃至４のうちのいずれか１項に記載のヒンジ。
【請求項６】
前記閉鎖位置から見た場合、前記減衰デバイス（１０）が前記ヒンジ部（１０）の少なくとも４０°と６０°との間の角度範囲において動作状態にあるように構成されてなることを特徴とする請求項５に記載のヒンジ。
【請求項７】
前記減衰要素（２０）が、前記ヒンジ部（７）に回転可能に取り付けられる円板として構成されてなることを特徴とする請求項１乃至６のうちのいずれか１項に記載のヒンジ。
【請求項８】
前記減衰要素（２０）が少なくとも１つの制御曲線（２１）を有し、該制御曲線（２１）がスライド（４０）の少なくとも１つのドライバ（４２、４３）と係合し、前記スライド（４０）が前記第一の駆動要素（５１)及び／又は前記第二の駆動要素（５２）と係合するように構成されてなることを特徴とする請求項１乃至７のうちのいずれか１項に記載のヒンジ。
【請求項９】
前記第一の駆動要素（５１）及び前記第二の駆動要素（５２）が少なくとも１つの腕部（５３、５４、５５、５６）を有し、該腕部により、前記スライド（４）が少なくとも前記ヒンジ（４）のある角度範囲にわたって変位されるように構成されてなることを特徴とする請求項１乃至８のうちのいずれか１項に記載のヒンジ。
【手続補正書】
【提出日】平成30年2月7日(2018.2.7)
【手続補正１】
【補正対象書類名】特許請求の範囲
【補正対象項目名】全文
【補正方法】変更
【補正の内容】
【特許請求の範囲】
【請求項１】
最終画像をレンダリングするためのシステムであって、
前記システムは、
マイクロレンズアレイと画像センサーとを含み、画像シーンのプレノプティック画像データをキャプチャするように構成されたプレノプティックカメラと、
前記プレノプティックカメラとデータ通信しており、少なくとも、
前記画像センサー上に前記画像シーンからの光を合焦させる前記マイクロレンズアレイ中の複数のマイクロレンズのうちの１つによってそれぞれ形成された複数のマイクロ画像を含むキャプチャされたプレノプティック画像データを受信することと、
前記マイクロレンズアレイを二分する平面内に位置し、各々が前記画像シーンの３次元空間を通って延びる平面に対応する複数の積分ラインを決定することと、
前記マイクロレンズアレイを二分する平面内に位置する複数の積分ラインの積分ライン毎に、前記画像センサーの複数のピクセルへの当該積分ラインのマッピングを生成または取り出すことと、
前記キャプチャされたプレノプティック画像データからの前記複数のピクセルのピクセル値に少なくとも部分的に基づいて、ラドン画像を生成することと
を行うように構成された１つまたは複数のプロセッサと
を備え、
前記マッピングは、前記積分ラインに沿って存在するマイクロレンズアレイのマイクロレンズの焦点距離および倍率に少なくとも部分的に基づいている、
システム。
【請求項２】
前記１つまたは複数のプロセッサは、前記複数の積分ラインの積分ライン毎に、前記複数のマイクロ画像のうちの少なくとも１つの対応するマイクロ画像に当該積分ラインをマッピングすることによって対応する画像ラインを決定することにより、前記複数のピクセルを決定するようにさらに構成された、請求項１に記載のシステム。
【請求項３】
前記１つまたは複数のプロセッサは、前記複数のピクセルとの前記対応する画像ラインの交差に少なくとも部分的に基づいて、前記複数のピクセルを識別するようにさらに構成された、請求項２に記載のシステム。
【請求項４】
前記１つまたは複数のプロセッサは、前記複数の積分ラインの各々について、前記対応する画像ラインと交差する前記複数のピクセルの各々に関連付けられた前記ピクセル値の和を決定することによって、複数の加算されたピクセル値を生成するようにさらに構成された、請求項３に記載のシステム。
【請求項５】
前記１つまたは複数のプロセッサは、前記複数の加算されたピクセル値のアレイとして、前記ラドン画像を生成するようにさらに構成された、請求項４に記載のシステム。
【請求項６】
前記ピクセル値は強度値である、請求項４に記載のシステム。
【請求項７】
キャプチャされたプレノプティック画像データを変換するための方法であって、
前記方法は、
マイクロレンズアレイと画像センサーとを有するプレノプティックカメラから、３次元画像空間のプレノプティック画像を表すデータの少なくとも一部分を受信することと、
前記マイクロレンズアレイを二分するマイクロレンズ平面と交差する積分平面を識別することと、
前記マイクロレンズ平面から第１の距離に位置する画像平面および前記積分平面と交差する画像ラインを決定することと、
前記積分平面および前記マイクロレンズ平面と交差するマイクロレンズラインを決定することと、
マイクロレンズラインと前記マイクロレンズとの交差に少なくとも部分的に基づいて、前記マイクロレンズアレイのマイクロレンズによって前記画像センサー上に形成されるマイクロ画像に前記画像ラインをマッピングすることと、
前記マイクロ画像にマッピングされた前記画像ラインに沿って位置する、前記マイクロ画像中の複数のピクセルの各々のピクセル値を加算することと、
を備える方法。
【請求項８】
前記加算されたピクセル値に少なくとも部分的に基づいて、ラドン画像を生成することをさらに備える、請求項７に記載の方法。
【請求項９】
前記マイクロレンズアレイの複数のマイクロレンズの各々は、前記画像センサー上に別個のマイクロ画像を形成する、請求項７に記載の方法。
【請求項１０】
極座標系を使用して、前記３次元画像空間をパラメータ化することをさらに備える、請求項７に記載の方法。
【請求項１１】
前記マイクロレンズ平面と交差する複数の積分平面を識別することをさらに備える、請求項７に記載の方法。
【請求項１２】
前記複数の積分平面は、当該複数の積分平面がグループとして前記画像センサーの複数のセンサーピクセルの各々をサンプリングするように配置される、請求項１１に記載の方法。
【請求項１３】
前記複数の積分平面の２つの隣接する平面の交差によって形成される隣接するライン間のステップサイズは、前記画像センサー上のマイクロ画像の冗長サンプリングを最小化するように選択される、請求項１２に記載の方法。
【請求項１４】
実行時に、１つまたは複数のコンピューティングデバイスに、請求項７乃至請求項１３のいずれか１項に記載の方法を実行させる命令を記憶する、非一時的コンピュータ可読媒体。
【手続補正書】
【提出日】平成30年1月10日(2018.1.10)
【手続補正１】
【補正対象書類名】明細書
【補正対象項目名】００５５
【補正方法】変更
【補正の内容】
【００５５】
分類ブロック６２０はＣＦＲブロック５２２に結合され、それに、パラメトリック入力信号５１２を介してＣＦＲパラメトリック入力を提供してもよい。そのようなＣＦＲパラメトリック入力は、対応する波形タイプと関連付けてＬＵＴ６２２に格納されたＣＦＲパラメータを含んでいてもよい。オプションで、別の実現化例では、ＬＵＴ６２２は、以下により詳細に説明されるように、ＣＦＲブロック５２２のＬＵＴ５８１およびＤＰＤブロック５２４のＬＵＴ５８２として効果的に分散されてもよい。さらに、オプションで、ＳＡＡＣブロック５０５は、ブロック５２２および５２４のいずれかまたは双方のためのパラメトリック入力を生成するために分類ブロック６２０によって生成された分類情報を受信するために結合された、プロセッサベースのハードウェアアクセラレータ５８３を含んでいてもよい。しかしながら、限定することなく明確にするために、ＬＵＴ６２２が使用されると仮定する。
【手続補正書】
【提出日】平成30年3月13日(2018.3.13)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）のワイヤレス通信の方法であって、
基地局から第１の情報を、第１のネットワークを介して、受信することと、
前記第１の情報に基づいて、第２のネットワークを介して接続ポイントから送信された信号を受信するためのリソースの位置を決定すること、前記第２のネットワークは、前記第１のネットワークより高い周波数を有する、と、
前記リソースに基づいて、少なくとも１つのビーム受信方向を介して前記信号を検出することと、
前記信号に基づいて、前記接続ポイントのビーム送信方向と前記ＵＥのビーム受信方向とを決定することと、
前記接続ポイントの前記ビーム送信方向に基づいて、前記接続ポイントのビーム受信方向を識別することと、
前記接続ポイントの前記ビーム受信方向に基づいて、前記接続ポイントに第２の情報を与えること、前記第２の情報は、
前記接続ポイントとのミリメートル波（ｍｍＷ）リンクを確立するという意図、
前記ＵＥの前記ビーム受信方向、または
前記接続ポイントの前記ビーム送信方向
のうちの少なくとも１つを備える、と
を備える、方法。
【請求項２】
前記第２の情報に基づいて、前記接続ポイントとの前記ｍｍＷリンクを確立することと、
前記確立されたｍｍＷリンク上で前記接続ポイントとデータを通信することと
をさらに備える、請求項１に記載の方法。
【請求項３】
前記基地局からの前記第１の情報は、低周波数チャネルを介して受信され、
前記信号は、高周波数チャネルを介して前記接続ポイントから送信される、
請求項１に記載の方法。
【請求項４】
前記第１の情報は、前記高周波数チャネルを介して前記接続ポイントから前記信号を受信するためのタイミング情報を備える、
請求項３に記載の方法。
【請求項５】
前記タイミング情報は、ロングタームエボリューション（ＬＴＥ）システムタイミングに対するオフセットを備える、
請求項４に記載の方法。
【請求項６】
前記第２の情報は、低周波数チャネルまたは高周波数チャネルのうちの少なくとも１つを介して前記接続ポイントに与えられ、
前記第１の情報は、前記低周波数チャネルを介して前記接続ポイントに前記第２の情報を与えるための周波数情報を備える、
請求項１に記載の方法。
【請求項７】
前記第１の情報は、
前記接続ポイントの前記ビーム送信方向と前記ビーム受信方向との順序に関係する情報、または
送信および受信についての前記接続ポイントの能力に関係する情報
を備える、請求項１に記載の方法。
【請求項８】
接続ポイントのワイヤレス通信の方法であって、
基地局から第１の情報を、第１のネットワークを介して、受信することと、
前記第１の情報に基づいて、第２のネットワークを介して信号を送信するためのリソースの位置を決定すること、前記第２のネットワークは、前記第１のネットワークより高い周波数を有する、と、
前記リソースに基づいて、少なくとも１つのビーム送信方向を介して前記信号を送信することと、
前記信号に応答してユーザ機器（ＵＥ）から第２の情報を受信すること、前記第２の情報は、
前記接続ポイントとのミリメートル波（ｍｍＷ）リンクを確立するという前記ＵＥの意図、
前記ＵＥのビーム受信方向、または
前記ＵＥによって決定された前記接続ポイントのビーム送信方向
のうちの少なくとも１つを備える、と
を備える、方法。
【請求項９】
前記第２の情報に基づいて、前記ＵＥとの前記ｍｍＷリンクを確立することと、
前記確立されたｍｍＷリンク上で前記ＵＥとデータを通信することと
をさらに備える、請求項１０に記載の方法。
【請求項１０】
前記信号は、
低周波数チャネルを介して前記接続ポイントと通信するためのタイミング情報と、
高周波数チャネルを介して前記接続ポイントと通信するためのタイミング情報と
を備える、請求項１または８に記載の方法。
【請求項１１】
前記第２の情報は、前記信号のビーム送信方向に基づく方向に沿って前記ＵＥから受信される、
請求項８に記載の方法。
【請求項１２】
前記第２の情報は、
リンク品質を示すビーム応答、または
ＵＥ能力情報
のうちの少なくとも１つをさらに備える、請求項１または８に記載の方法。
【請求項１３】
ワイヤレス通信のためのユーザ機器（ＵＥ）であって、
基地局から第１の情報を、第１のネットワークを介して、受信するための手段と、
前記第１の情報に基づいて、第２のネットワークを介して接続ポイントから送信された信号を受信するためのリソースの位置を決定するための手段、前記第２のネットワークは、前記第１のネットワークより高い周波数を有する、と、
前記リソースに基づいて、少なくとも１つのビーム受信方向を介して前記信号を検出するための手段と、
前記信号に基づいて、前記接続ポイントのビーム送信方向と前記ＵＥのビーム受信方向とを決定するための手段と、
前記接続ポイントの前記ビーム送信方向に基づいて、前記接続ポイントのビーム受信方向を識別するための手段と、
前記接続ポイントの前記ビーム受信方向に基づいて、前記接続ポイントに第２の情報を与えるための手段、前記第２の情報は、
前記接続ポイントとのミリメートル波（ｍｍＷ）リンクを確立するという意図、
前記ＵＥの前記ビーム受信方向、
前記接続ポイントの前記ビーム送信方向、
リンク品質を示すビーム応答、または
送信または受信についての前記ＵＥの能力に関係する情報
のうちの少なくとも１つを備える、と、
前記第２の情報に基づいて、前記接続ポイントとの前記ｍｍＷリンクを確立するための手段と、
前記確立されたｍｍＷリンク上で前記接続ポイントとデータを通信するための手段と
を備える、ＵＥ。
【請求項１４】
ワイヤレス通信のための接続ポイントであって、
基地局から第１の情報を、第１のネットワークを介して、受信するための手段と、
前記第１の情報に基づいて、第２のネットワークを介して信号を送信するためのリソースの位置を決定するための手段、前記第２のネットワークは、前記第１のネットワークより高い周波数を有する、と、
前記リソースに基づいて、少なくとも１つのビーム送信方向を介して前記信号を送信するための手段と、
前記信号に応答してユーザ機器（ＵＥ）から第２の情報を受信するための手段、前記第２の情報は、
前記接続ポイントとのミリメートル波（ｍｍＷ）リンクを確立するという前記ＵＥの意図、
前記ＵＥのビーム受信方向、
前記ＵＥによって決定された前記接続ポイントのビーム送信方向、
リンク品質を示すビーム応答、または
送信または受信についての前記ＵＥの能力に関係する情報
のうちの少なくとも１つを備える、と、
前記第２の情報に基づいて、前記ＵＥとの前記ｍｍＷリンクを確立するための手段と、
前記確立されたｍｍＷリンク上で前記ＵＥとデータを通信するための手段と
を備える、接続ポイント。
【請求項１５】
少なくとも１つのプロセッサによって実行されると、前記少なくとも１つのプロセッサに、請求項１乃至１２のうちのいずれか１項に記載の方法を実行させるコンピュータ実行可能命令を備える、コンピュータ可読媒体。
【手続補正書】
【提出日】平成30年5月1日(2018.5.1)
【手続補正１】
【補正対象書類名】特許請求の範囲
【補正対象項目名】全文
【補正方法】変更
【補正の内容】
【特許請求の範囲】
【請求項１】
複数のアンテナを有する多入力多出力（ＭＩＭＯ）受信器が受信信号を処理する方法であって、
複数のリソースエレメント（ＲＥ）を有するＲＥグループ内で基準ＲＥを選択するステップと、
前記基準ＲＥのチャネル情報に基づいて、前記ＲＥグループ内の前記複数のＲＥが共有する前処理フィルタを生成するステップと、
前記複数のＲＥのうち前記基準ＲＥを除いたＲＥのチャネル情報に基づいて、前記基準ＲＥを除いたＲＥのそれぞれに対する共分散行列を生成するステップと、
前記前処理フィルタ及び前記共分散行列を選択的に用いて前記複数のＲＥのそれぞれに対する受信信号を補償することによって、前記ＲＥグループに対する検出信号を生成するステップと、を有する、受信信号処理方法。
【請求項２】
前記検出信号を生成するステップにおいて、
前記ＭＩＭＯ受信器の受信アンテナの数、前記受信信号のレイヤの数及び前記補償処理の予め決定された繰り返し回数のうちの少なくとも１つに基づいて、前記共分散行列を用いるか否かを決定する、請求項１に記載の受信信号処理方法。
【請求項３】
前記共分散行列は、
前記受信アンテナの数、前記レイヤの数及び前記繰り返し回数のうちの少なくとも１つに基づいて、前記共分散行列を用いる場合の計算複雑度が前記共分散行列を用いない場合の計算複雑度よりも低いと決定される場合に生成される、請求項２に記載の受信信号処理方法。
【請求項４】
前記検出信号を生成するステップにおいて、
前記共分散行列を用いる場合の計算複雑度が前記共分散行列を用いない場合の計算複雑度よりも高い場合、前記前処理フィルタ及び前記複数のＲＥのそれぞれのチャネル情報を用いて前記受信信号を補償する、請求項３に記載の受信信号処理方法。
【請求項５】
前記検出信号を生成するステップにおいて、前記基準ＲＥに対しては前記前処理フィルタのみを用いて補償し、前記基準ＲＥを除いたＲＥに対しては前記前処理フィルタ及びそれぞれの共分散行列を用いて補償する、請求項１に記載の受信信号処理方法。
【請求項６】
前記共分散行列を生成するステップにおいて、前記基準ＲＥのチャネル情報に基づいて、前記基準ＲＥに対する共分散行列をさらに生成し、
前記検出信号を生成するステップにおいて、前記基準ＲＥに対して、前記前処理フィルタ及び前記基準ＲＥに対する共分散行列を用いて前記基準ＲＥの受信信号を補償する、請求項１に記載の受信信号処理方法。
【請求項７】
前記前処理フィルタは、前記受信信号を補償して前記検出信号を生成する処理の速度を向上させるための行列である、請求項１に記載の受信信号処理方法。
【請求項８】
前記検出信号を生成するステップにおいて、
前記前処理フィルタの代わりに前記各ＲＥに対して最小平均二乗誤差（ＭＭＳＥ）フィルタ、ゼロ強制（ＺＦ）フィルタ、干渉抑圧合成（ＩＲＣ）フィルタ又はベル研階層化時空間（ＢＬＡＳＴ）フィルタを適用した結果と前記検出信号との間の誤差が閾値未満になるまで前記補償処理を繰り返して行い、
前記補償処理を繰り返して行う最大回数は、ＭＩＭＯチャネル環境又はユーザ入力によって決定される、請求項１に記載の受信信号処理方法。
【請求項９】
前記検出信号は、前記受信信号に対して、前記共分散行列を用いて共役勾配（ＣＧ）アルゴリズム、ニュートン法アルゴリズム又は最急降下法アルゴリズムを適用することによって生成される、請求項１に記載の受信信号処理方法。
【請求項１０】
複数のアンテナを有し、前記複数のアンテナを介して受信される受信信号を処理する多入力多出力（ＭＩＭＯ）受信器であって、
送信部と、
受信部と、
前記送信部及び前記受信部に接続されて受信信号を処理するプロセッサと、を有し、
前記プロセッサは、
複数のリソースエレメント（ＲＥ）を有するＲＥグループ内で基準ＲＥを選択し、
前記基準ＲＥのチャネル情報に基づいて、前記ＲＥグループ内の前記複数のＲＥが共有する前処理フィルタを生成し、
前記複数のＲＥのうち前記基準ＲＥを除いたＲＥのチャネル情報に基づいて、前記基準ＲＥを除いたＲＥのそれぞれに対する共分散行列を生成し、
前記前処理フィルタ及び前記共分散行列を選択的に用いて前記複数のＲＥのそれぞれに対する受信信号を補償することによって、前記ＲＥグループに対する検出信号を生成する、受信器。
【手続補正書】
【提出日】平成30年3月16日(2018.3.16)
【手続補正１】
【補正対象書類名】特許請求の範囲
【補正対象項目名】全文
【補正方法】変更
【補正の内容】
【特許請求の範囲】
【請求項１】
自動立体視ディスプレイのサブピクセルのためのサブピクセル駆動値を生成する装置であって、
表示されるべき少なくとも１つの画像のピクセルのための光出力値を受信するための第１受信機、
サブピクセル駆動値を生成するためのドライバであって、第１サブピクセルのための第１駆動値を、前記第１サブピクセルがその一部であるピクセルのための光出力値、少なくとも１つの他のサブピクセルのサブピクセル駆動値、及び、前記自動立体視ディスプレイのサブピクセルのサブピクセル・クロストーク特性を表すクロストーク・パターンに応じて、生成するドライバ、
を有し、
前記ドライバは、一セットのサブピクセルのための選択されたサブピクセル駆動値の結果として生じる推定される光出力と、サブピクセルの前記セットのサブピクセルがその一部であるピクセルのための光出力値に対応する光出力との間の距離を表すペナルティ測度を最小化する最適化によりサブピクセル駆動値を生成することによって、サブピクセルのためのサブピクセル駆動値を極端な駆動値の方へバイアスし、
前記ペナルティ測度はさらに、前記選択されたサブピクセル駆動値のうちの少なくとも１つのサブピクセル駆動値の、前記少なくとも１つのサブピクセル駆動値のための最も近い端の範囲値に対する制約を含む、装置。
【請求項２】
前記自動立体視ディスプレイが、前記サブピクセルを有する表示パネル、前記表示パネル上に配置されたビュー形成光学素子を有し、前記クロストーク・パターンが、前記表示パネルの前記サブピクセル間の空間的な近さを表す、請求項１に記載の装置。
【請求項３】
前記自動立体視ディスプレイが、前記サブピクセルを有する表示パネル、前記表示パネル上に配置されたビュー形成光学素子を有し、前記クロストーク・パターンが、前記表示パネルのサブピクセル間のビュー相関を表す、請求項１に記載の装置。
【請求項４】
前記クロストーク・パターンが、空間周波数の関数として空間コントラストに対する人間の観察者の感度を反映する人間の視覚的な空間コントラスト関数を表す、請求項１に記載の装置。
【請求項５】
前記ドライバが、前記第１サブピクセルからの所望の光出力に対応する前記第１サブピクセルのための基準駆動値を決定し、前記所望の光出力は、前記第１サブピクセルが属するピクセルのための光出力値に対応する前記第１サブピクセルからの光出力寄与を有し、前記ドライバは、最も近い端の範囲駆動値により近づくように前記基準駆動値を変更することによって、前記第１サブピクセル駆動値を決定する、請求項１に記載の装置。
【請求項６】
前記ドライバが、前期基準駆動値に対する前記第１サブピクセル駆動値の差異測度に応じて誤差残留を決定し、サブピクセルのグループにわたって前記誤差残留を分配する、請求項５に記載の装置。
【請求項７】
前記ドライバが、他のサブピクセルから前記第１サブピクセルへの誤差残留寄与に応じて、前記基準駆動値を決定する、請求項６に記載の装置。
【請求項８】
前記ドライバが、
サブピクセル間の空間的な近さ、
サブピクセル間のビュー相関、
サブピクセル間の色相関、及び人間の視覚的な空間コントラスト関数、
に応じて、前記誤差残留を分配する、請求項７に記載の装置。
【請求項９】
前記ドライバが、前記サブピクセルのための駆動値を連続的に決定し、あるサブピクセルの誤差残留を、当該サブピクセルに後続するサブピクセルのみに分配する、請求項７に記載の装置。
【請求項１０】
前記自動立体視ディスプレイは、第１セットのビューのためのインタリーブされた画像を有する織り込まれた画像を示すことによって第１セットのビューを表示し、前記装置はさらに、
第２セットのビューのための少なくとも１つの画像を受信するための第２受信機、
前記第２セットのビューのための前記少なくとも１つの画像から前記織り込まれた画像を生成するための画像コンバイナ、
を有し、
前記ドライバは、前記織り込まれた画像のサブピクセルを処理することによって前記サブピクセル駆動値を決定する、請求項１に記載の装置。
【請求項１１】
前記自動立体視ディスプレイは、第１セットのビューのためのインタリーブされた画像を有する織り込まれた画像を示すことによって第１セットのビューを表示し、前記装置はさらに、
第２セットのビューのための少なくとも１つの画像を受信するための受信機、
を有し、
前記ドライバが、第２セットのビューのための前記少なくとも１つの画像のサブピクセルを処理することによって前記織り込まれた画像のサブピクセル駆動値として前記サブピクセル駆動値を決定する、請求項１に記載の装置。
【請求項１２】
前記少なくとも１つの画像が、画像フレームのシーケンスのうちの画像であり、前記ドライバが、後続の画像間で画像の個々のサブピクセルのためのバイアスを変更する、請求項１に記載の装置。
【請求項１３】
自動立体視ディスプレイのサブピクセルのためのサブピクセル駆動値を生成する方法であって、
表示されるべき少なくとも１つの画像のピクセルのための光出力値を受信し、
第１サブピクセルのための第１駆動値を、前記第１サブピクセルがその一部であるピクセルのための光出力値、少なくとも１つの他のサブピクセルのサブピクセル駆動値、及び、前記自動立体視ディスプレイのサブピクセルのサブピクセル・クロストーク特性を表すクロストーク・パターンに応じて、生成することによって、サブピクセル駆動値を生成し、
前記サブピクセル駆動値の生成は、一セットのサブピクセルのための選択されたサブピクセル駆動値の結果として生じる推定される光出力と、サブピクセルの前記セットのサブピクセルがその一部であるピクセルのための光出力値に対応する光出力との間の距離を表すペナルティ測度を最小化する最適化によりサブピクセル駆動値を生成することによって、サブピクセルのためのサブピクセル駆動値を極端な駆動値の方へバイアスすることを有し、
前記ペナルティ測度はさらに、前記選択されたサブピクセル駆動値のうちの少なくとも１つのサブピクセル駆動値の、前記少なくとも１つのサブピクセル駆動値のための最も近い端の範囲値に対する距離に依存する、方法。
【請求項１４】
コンピュータによって実行されたときに前記コンピュータに請求項１３に記載の方法の全てのステップを実行させる、コンピュータ・プログラム。
【手続補正書】
【提出日】平成30年4月24日(2018.4.24)
【手続補正１】
【補正対象書類名】特許請求の範囲
【補正対象項目名】全文
【補正方法】変更
【補正の内容】
【特許請求の範囲】
【請求項１】
回路であって、
Ｎ個のスキャン入力を第１の周波数で受信するように構成され、Ｍ個の疑似スキャン入力を第２の周波数で生成するように構成される入力コンバータであって、ＭとＮとが整数である、前記入力コンバータと、
前記入力コンバータに結合され、前記Ｍ個の疑似スキャン入力に応答してＰ個の疑似スキャン出力を生成するように構成される、スキャン圧縮アーキテクチャと、
前記スキャン圧縮アーキテクチャに結合され、前記Ｐ個の疑似スキャン出力に応答してＱ個のスキャン出力を生成するように構成される出力コンバータであって、Ｐ及びＱが整数であり、前記Ｐ個の疑似スキャン出力を前記第２の周波数で受信し、前記Ｑ個のスキャン出力を前記第１の周波数で生成する、前記出力コンバータと、
を含み、
前記第１の周波数と前記第２の周波数との比が、ＭとＮとの比とＰとＱとの比とに等しい、回路。
【請求項２】
請求項１に記載の回路であって、
スキャンクロックを受信し、内部クロックを生成するように構成されるモニタを更に含み、
前記スキャン圧縮アーキテクチャが、前記第２の周波数で前記内部クロックによって駆動されるように構成される、回路。
【請求項３】
請求項２に記載の回路であって、
前記モニタが前記入力コンバータからステータス信号を受信するように構成され、前記ステータス信号が、全てのスキャンクロックの初めに前記入力コンバータにストアされるスキャン入力の数に関して前記モニタを更新するように構成される、回路。
【請求項４】
請求項２に記載の回路であって、
前記モニタが、前記スキャンクロックの初めに、前記入力コンバータにストアされたスキャン入力の前記数がＭより少ないときに、前記スキャン圧縮アーキテクチャへの前記内部クロックを中断するように構成される、回路。
【請求項５】
請求項２に記載の回路であって、
前記出力コンバータが前記モニタからイネーブル信号を受信するように構成され、前記出力コンバータにおいて前記疑似スキャン出力が受信されないときに、前記イネーブル信号が、前記出力コンバータにおける前記疑似スキャン出力のストレージをディセーブルするように構成される、回路。
【請求項６】
請求項１に記載の回路であって、
前記入力コンバータが、スキャンクロック毎に前記Ｎ個のスキャン入力を受信するように構成され、前記第２の周波数で前記Ｍ個の疑似スキャン入力を生成するように構成される、回路。
【請求項７】
請求項１に記載の回路であって、
前記入力コンバータと前記出力コンバータとが、それぞれ前記Ｎ個のスキャン入力と前記Ｐ個の疑似スキャン出力とをストアするように構成される、回路。
【請求項８】
請求項１に記載の回路であって、
前記スキャン圧縮アーキテクチャが、
前記入力コンバータに結合され、前記Ｍ個の疑似スキャン入力を受信するように構成される、デコンプレッサと、
前記デコンプレッサに結合され、前記Ｐ個の疑似スキャン出力を生成するように構成される、コンプレッサと、
前記デコンプレッサと前記コンプレッサとの間に結合される複数のスキャンチェーンと、
を更に含み、
前記複数のスキャンチェーンの各スキャンチェーンが複数のスキャンセルを含む、回路。
【請求項９】
請求項８に記載の回路であって、
前記複数のスキャンチェーンが前記内部クロックによって駆動される、回路。
【請求項１０】
請求項８に記載の回路であって、
前記デコンプレッサが、前記Ｍ個の疑似スキャン入力に応答して複数のコアスキャン入力を生成するように構成される、回路。
【請求項１１】
請求項８に記載の回路であって、
前記複数のスキャンチェーンが前記複数のコアスキャン入力を受信するように構成され、前記複数のスキャンセルの各スキャンセルが、前記第２の周波数で前記複数のコアスキャン入力の或るコアスキャン入力をシフトするように構成される、回路。
【請求項１２】
請求項８に記載の回路であって、
前記複数のスキャンチェーンが、前記複数のコアスキャン入力に応答して複数のコアスキャン出力を生成するように構成される、回路。
【請求項１３】
請求項８に記載の回路であって、
前記コンプレッサが、前記複数のコアスキャン出力に応答して前記Ｐ個の疑似スキャン出力を生成するように構成される、回路。
【請求項１４】
請求項１に記載の回路であって、
前記入力コンバータのストレージ深度がＫビットであり、Ｋが整数であり、Ｋが２Ｎより大きいか又は２Ｎに等しく、
前記出力コンバータのストレージ深度がＬビットであり、Ｌが整数であり、Ｌが２Ｐより大きいか又は２Ｐに等しい、回路。
【請求項１５】
テストする方法であって、
入力コンバータにおいて第１の周波数でＮ個のスキャン入力を受信することと、
前記入力コンバータにより第２の周波数でＮ個のスキャン入力からＭ個の疑似スキャン入力を生成することと、
スキャン圧縮アーキテクチャにより前記第２の周波数でＭ個の疑似スキャン入力からＰ個の疑似スキャン出力を生成することと、
出力コンバータにより前記第１の周波数でＭ個の疑似スキャン出力からＱ個のスキャン出力を生成することと、
を含み、
ＭがＮより小さいときに前記入力コンバータがＭ個の疑似スキャン出力を生成せず、前記出力コンバータにストアされた疑似スキャン出力の数がＱよりも大きか又は等しいときに前記出力コンバータがＱ個のスキャン出力を生成する、方法。
【請求項１６】
請求項１５に記載の方法であって、
前記入力コンバータにおいてスキャンクロック毎に前記Ｎ個のスキャン入力を受信することと、
前記第２の周波数で前記Ｍ個の疑似スキャン入力を生成することと、
を更に含む方法。
【請求項１７】
請求項１５に記載の方法であって、
スキャン圧縮アーキテクチャによりＭ個の疑似スキャン入力から前記第２の周波数でＰ個の疑似スキャン出力を生成することを更に含み、
前記スキャン圧縮アーキテクチャが、前記第２の周波数で内部クロックにより駆動されるように構成される、方法。
【請求項１８】
請求項１５に記載の方法であって、
前記スキャンクロックを受信して前記内部クロックを生成するように構成されるモニタにステータス信号を提供することを更に含み、
前記スキャンクロックの初めにおいて前記入力コンバータにストアされるスキャン入力の数がＭよりも少ないときに、前記モニタが、前記スキャン圧縮アーキテクチャに対する前記内部クロックを中断するように構成される、方法。
【請求項１９】
請求項１８に記載の方法であって、
前記入力コンバータにおいて前記Ｎ個のスキャン入力をストアすることを更に含み、
前記ステータス信号が、全てのスキャンクロックの初めに前記モニタを前記入力コンバータにストアされるスキャン入力の数に関して更新するように構成される、方法。